(57)【要約】【課題】ランプホルダーを抹消し、Ｕ字状冷陰極管を冷陰極管支持部材のみで曲げピッチの公差を吸収してリアフレームに取付けることができる液晶モジュールを提供する。【解決手段】開環状嵌合部４ｂと横長鉤状係合部４ｃを設けた冷陰極管支持部材４１，４２を液晶モジュールのリアフレーム１に固定し、開環状嵌合部４ｂにＵ字状冷陰極管３の片方の直管部３ａを上下左右に移動しないように嵌合させて支持すると共に、横長鉤状係合部４ｃにＵ字状冷陰極管３の他方の直管部３ｂを上下に移動しないように係合させて支持した構成の液晶モジュールとする。Ｕ字状冷陰極管３の他方の直管部３ｂが横長鉤状係合部４ｃにおいて曲げピッチＰのバラツキ分だけ左右いずれかに位置をずらして係合され、曲げピッチＰの公差が吸収されることになるので、ランプホルダーを抹消してコストダウンを図れる。【選択図】図１
2010153061.tif 000002
【特許請求の範囲】
【請求項１】
嵌合部と係合部を設けた冷陰極管支持部材を液晶モジュールのリアフレームに固定し、冷陰極管支持部材の嵌合部にＵ字状冷陰極管の片方の直管部を上下左右に移動しないように嵌合させて支持すると共に、冷陰極管支持部材の係合部にＵ字状冷陰極管の他方の直管部を上下に移動しないように係合させて支持したことを特徴とする液晶モジュール。
【請求項２】
上記冷陰極管支持部材によって、Ｕ字状冷陰極管の双方の直管部のＵ字状屈曲端に近い部分を支持したことを特徴とする請求項１に記載の液晶モジュール。
【請求項３】
上記冷陰極管支持部材の嵌合部が上部を切開した開環状嵌合部であり、上記冷陰極管支持部材の係合部が起立片の上端から片側に突き出す水平係合片を設けた横長鉤状係合部であることを特徴とする請求項１又は請求項２に記載の液晶モジュール。
【請求項４】
上記開環状嵌合部の中心線と上記横長鉤状係合部の中心線との間隔が、Ｕ字状冷陰極管の双方の直管部の中心線相互間隔と等しくなるように、開環状嵌合部と横長鉤状係合部を間隔をあけて冷陰極管支持部材に設け、横長鉤状係合部の水平係合片の長さ寸法を、Ｕ字状冷陰極管の直管部の直径にＵ字状冷陰極管の曲げピッチの公差の絶対値の２倍の寸法を加えた合計寸法以上としたことを特徴とする請求項３に記載の液晶モジュール。
【発明の詳細な説明】
【技術分野】
【０００１】
本発明は、直下型バックライトの光源としてＵ字状冷陰極管を組み込んだ液晶モジュールに関し、特に、Ｕ字状冷陰極管の固定構造を改良した液晶モジュールに関する。
【背景技術】
【０００２】
直下型バックライトの光源としてＵ字状冷陰極管を用いる従来の液晶モジュールにおいては、図７に示すように、Ｕ字状冷陰極管１０３の曲げピッチＰの公差（通常±１ｍｍ）を吸収してＵ字状冷陰極管１０３の割れを防止する必要があるため、リアフレーム１０１の底板に固定した冷陰極管支持部材１０２の保持部１０２ａにＵ字状冷陰極管１０３の片方の直管部１０３ａを保持させると共に、リアフレーム１０１の底板に固定したゴム製のランプホルダー１０４にＵ字状冷陰極管１０３のＵ字状屈曲端部１０３ｂを保持させて、Ｕ字状冷陰極管１０３をリアフレーム１０３の内部に取付けている。
【０００３】
また、反射型ケーシングの内部に平面状の屈曲型放電ランプを配置して、その給電端子側を弾性体からなるランプホルダーで固定すると共に、屈曲型放電ランプの互いに平行な直線部の一部を原外径の３０％以内の範囲で縮径して、この縮径部を係止片でケーシングに固定したバックライト用の照明装置も知られている（特許文献１参照）。
【特許文献１】特開平９−６３５３９号公報
【発明の開示】
【発明が解決しようとする課題】
【０００４】
しかしながら、従来の液晶モジュールのように、冷陰極管支持部材１０２とは別にゴム製のランプホルダー１０４を用いてＵ字状冷陰極管１０３のＵ字状屈曲端部１０３ｂを保持させると、ランプホルダー１０４を用いる分だけ部品点数及び組立工数が多くなり、製造コストが増加するという問題があった。
【０００５】
斯かる問題は、冷陰極管支持部材１０２に保持部１０２ａを増設し、Ｕ字状冷陰極管１０３の双方の直管部１０３ａ，１０３ｃを保持部１０２ａで保持固定して、ランプホルダー１０４を抹消すれば、一応解決可能である。しかしながら、Ｕ字状冷陰極管１０３の双方の直管部１０３ａ，１０３ｃを冷陰極管支持部材１０２の保持部１０２ａで保持固定すると、Ｕ字状冷陰極管１０３の曲げピッチＰの公差を吸収できなくなり、Ｕ字状冷陰極管１０３の屈曲部分に歪みが生じて割れる場合があるので、上記の解決策を採用することはできない。
【０００６】
また、前記特許文献１の照明装置のように、屈曲型放電ランプの互いに平行な直線部に形成した縮径部を係止片でケーシングに固定する場合も、曲げピッチの公差を吸収することはできない。
【０００７】
本発明は上記事情の下になされたもので、その解決しようとする課題は、ランプホルダーを抹消し、Ｕ字状冷陰極管を冷陰極管支持部材のみで曲げピッチの公差を吸収してリアフレームに取付けるように改良した液晶モジュールを提供することにある。
【課題を解決するための手段】
【０００８】
上記課題を解決するため、本発明に係る液晶モジュールは、嵌合部と係合部を設けた冷陰極管支持部材を液晶モジュールのリアフレームに固定し、冷陰極管支持部材の嵌合部にＵ字状冷陰極管の片方の直管部を上下左右に移動しないように嵌合させて支持すると共に、冷陰極管支持部材の係合部にＵ字状冷陰極管の他方の直管部を上下に移動しないように係合させて支持したことを特徴とするものである。
【０００９】
本発明の液晶モジュールにおいては、上記冷陰極管支持部材によって、Ｕ字状冷陰極管の双方の直管部のＵ字状屈曲端に近い部分を支持することが好ましい。冷陰極管支持部材の嵌合部や係合部の形状は特に限定されないが、嵌合部は上部を切開した開環状嵌合部であることが好ましく、係合部は起立片の上端から片側に突き出す水平係合片を設けた横長鉤状係合部であることが好ましい。そして、開環状嵌合部の中心線と横長鉤状係合部の中心線との間隔が、Ｕ字状冷陰極管の双方の直管部の中心線相互間隔と等しくなるように、開環状嵌合部と横長鉤状係合部を間隔をあけて冷陰極管支持部材に設け、横長鉤状係合部の水平係合片の長さ寸法を、Ｕ字状冷陰極管の直管部の直径にＵ字状冷陰極管の曲げピッチの公差の絶対値の２倍の寸法を加えた合計寸法以上とすることが好ましい。
【発明の効果】
【００１０】
本発明の液晶モジュールのように、冷陰極管支持部材の嵌合部にＵ字状冷陰極管の片方の直管部を上下左右に移動しないように嵌合させて支持し、冷陰極管支持部材の係合部にＵ字状冷陰極管の他方の直管部を上下に移動しないように係合させて支持すると、Ｕ字状冷陰極管の片方の直管部は嵌合部によって上下方向にも左右方向にも位置決めされるが、Ｕ字状冷陰極管の他方の直管部は係合部によって上下方向に位置決めされるのみで、左右方向には位置決めされない。従って、Ｕ字状冷陰極管の他方の直管部は、冷陰極管支持部材の係合部において、曲げピッチのバラツキ分だけ左右いずれかの方向に位置をずらせて係合され、曲げピッチの公差が吸収されることになるので、Ｕ字状冷陰極管の屈曲部分に歪みが生じなくなり、Ｕ字状冷陰極管の割れをなくすことができる。
【００１１】
また、上記のように冷陰極管支持部材の嵌合部によってＵ字状冷陰極管の片方の直管部が上下左右に位置決めされ、係合部によって他方の直管部が上下に位置決めされると、Ｕ字状冷陰極管は片方の直管部を回転中心として回動できなくなり、従来のランプホルダーがなくてもＵ字状冷陰極管を水平状態に固定できるので、従来のランプホルダーを抹消することができる。従って、本発明の液晶モジュールは、ランプホルダーを抹消できる分だけ部品点数及び組立工数が少なくなるので、製造コストを下げることができる。
【００１２】
上述したＵ字状冷陰極管の割れ防止効果は、上記の冷陰極管支持部材によって、Ｕ字状冷陰極管の双方の直管部のＵ字状屈曲端に近い部分を支持させる場合に顕著となる。即ち、Ｕ字状冷陰極管の双方の直管部のＵ字状屈曲端から遠い部分を支持部材で支持させる場合は、たとえ曲げピッチの公差が吸収されなくても、Ｕ字状冷陰極管の屈曲部分に生じる歪みは小さいので、Ｕ字状冷陰極管が割れる心配は殆どない。けれども、Ｕ字状冷陰極管の双方の直管部のＵ字状屈曲端に近い部分を支持させる場合は、曲げピッチの公差を吸収できないとなると、Ｕ字状冷陰極管の屈曲部分に大きい歪みが生じてＵ字状冷陰極管が割れやすくなるので、上記のように曲げピッチの公差を吸収できる冷陰極管支持部材を用いてＵ字状冷陰極管の直管部のＵ字状屈曲端に近い部分を支持させることは、Ｕ字状冷陰極管の割れ防止効果の点で極めて有効である。
【００１３】
また、冷陰極管支持部材の嵌合部が上部を切開した開環状嵌合部であり、係合部が起立片の上端から片側に突き出す水平係合片を設けた横長鉤状係合部であると、横長鉤状係合部の片側の開放部分からＵ字状冷陰極管の他方の直管部を横長鉤状係合部に挿入して上下に移動しないように水平係合片に係合させたまま、開環状嵌合部の切開された上部からＵ字状冷陰極管の片方の直管部を開環状係合部に嵌め込んで上下左右に移動しないように嵌合させることにより、極く簡単にＵ字状冷陰極管を支持固定することができるので、組立作業性が向上する。
【００１４】
そして、開環状嵌合部の中心線と横長鉤状係合部の中心線との間隔が、Ｕ字状冷陰極管の双方の直管部の中心線相互間隔と等しくなるように、開環状嵌合部と横長鉤状係合部を間隔をあけて冷陰極管支持部材に設け、横長鉤状係合部の水平係合片の長さ寸法を、Ｕ字状冷陰極管の直管部の直径にＵ字状冷陰極管の曲げピッチの公差の絶対値の２倍の寸法を加えた合計寸法以上にしてあると、公差の範囲内で曲げピッチにバラツキがあるどのようなＵ字状冷陰極管であっても、確実に曲げピッチのバラツキを吸収して割れないように支持固定することができる。
【発明を実施するための最良の形態】
【００１５】
以下、図面を参照して本発明の具体的な実施形態を詳述する。
【００１６】
図１は本発明の一実施形態に係る液晶モジュールの分解斜視図、図２は同液晶モジュールの部分断面図、図３はＵ字状冷陰極管を取付けたリアフレームの部分平面図、図４の（ａ）及び（ｂ）は同液晶モジュールに用いる冷陰極管支持部材の正面図及び平面図、図５は同支持部材の嵌合部の正面図、図６は同支持部材の係合部の正面図である。
【００１７】
図１〜図３を参照して、この液晶モジュールの全体構成を概説すると、このものは大画面の液晶テレビに組み込まれる大型の液晶モジュールであって、板金製の浅い箱型のリアフレーム１の内部には光反射シート２が設けられている。この光反射シート２の上には、Ｕ字状冷陰極管３が互いに平行に複数本（本実施形態では５本）配設されており、光反射シート２の上からリアフレーム１の底板１ａに固定された３種類の冷陰極管支持部材４１，４２，４３によって支持されている。このＵ字状冷陰極管３の取付構造については、後で詳しく説明する。
【００１８】
それぞれのＵ字状冷陰極管３の端部（給電端子側の端部）にはランプソケット５が取付けられており、これらのランプソケット５は、リアフレーム１の一方の短辺の側板１ｂに沿ってリアフレーム１の底板１ａに形成されたソケット嵌着用開口部（不図示）に嵌着固定されている。ランプソケット５を取付けたＵ字状冷陰極管３の端部は、ランプソケット５の陰影などよる明るさのバラツキを解消するために、リアフレーム１の一方の側板１ｂに取付けられたランプフレーム８ａで覆われるが、Ｕ字状冷陰極管３の反対側のＵ字状屈曲端部３ｃは、該Ｕ字状屈曲端部３ｃから発する光が有効利用されるように、リアフレーム１の反対側の側板１ｃに取付けられたランプフレーム８ｂから露出している。
【００１９】
リアフレーム１の長辺の側板１ｄ，１ｅは、いずれも逆Ｕ字状に折り曲げられて二重側板とされており、この二重側板１ｄ，１ｅの上面と前記ランプフレーム８ａ，８ｂのシート挿入溝（不図示）には、３枚の光学シート６，７ａ，７ｂの四周縁が載置または挿入されている。これらの光学シートは、Ｕ字状冷陰極管３から発せられる光を拡散して液晶パネル１０に均一に照射する光拡散シートであって、上２枚の光学シート７ａ，７ｂは薄い光拡散シートであるが、下側の光学シート６は撓みにくい厚手のパネル状の光拡散シート（光拡散板）が使用されている。
【００２０】
上記光学シート６，７ａ，７ｂの長辺沿いの端縁は、リアフレーム１の長辺の二重側板１ｄ，１ｅに取付けられたパネル支持材（セルガイド）９，９で押さえられており、このパネル支持材９，９と、パネル支持材を兼用する前記ランプフレーム８ａ，８ｂの上には、液晶パネル（液晶セル）１０の四周縁が載置されている。そして、この液晶パネル１０の四周縁は、リアフレーム１の二重側板１ｄ，１ｅにビス止めされる２本の長いベゼル１１ａ，１１ａと、リアフレームの側板１ｂ，１ｃのベゼル固定部（不図示）にビス止めされる２本の短いベゼル１１ｂ，１１ｂで押さえられて固定されている。
【００２１】
液晶パネル１０の一方の長辺には、ソースドライバＩＣチップを搭載したＣＯＦ（チップオンフィルム）１２ａを介して中継基板１３ａ（Ｘ−ＰＣＢ）が接続されており、液晶パネル１０の短辺には、ゲートドライバＩＣチップを搭載したＣＯＦ１２ｂを介して中継基板１３ｂ（Ｙ−ＰＣＢ）が接続されている。そして、これらの中継基板１３ａ，１３ｂは、上記のパネル支持体９とランプフレーム８ｂの外側面に固定されている。
【００２２】
このような液晶モジュールは、Ｕ字状冷陰極管３から出た光や光反射シート２で反射された光が、光学シート６，７ａ，７ｂにより拡散されて液晶パネル１０の背面に均一に照射されるため、輝度ムラのない鮮明な画像を視認することができる。
【００２３】
この液晶モジュールの大きい特徴は、Ｕ字状冷陰極管３の曲げピッチＰの公差を吸収し得る冷陰極管支持部材４１，４２を用いて、Ｕ字状冷陰極管３のＵ字状屈曲端部に近い部分を支持固定することにより、従来のランプホルダー１０４を抹消して部品点数及び組立工数を減らし、製造コストの低下とＵ字状冷陰極管の取付作業性の向上を図ったところにある。
【００２４】
即ち、この液晶モジュールに使用される冷陰極管支持部材４１は、図２〜図６に示すように、ポリカーボネート等の熱可塑性樹脂によって、冷陰極管支持部材の帯状基部４ａの上面に開環状嵌合部４ｂと横長鉤状係合部４ｃを交互に複数（合計五つ）形成したものであり、図４に示すように、開環状嵌合部４ｂの方が横長鉤状係合部４ｃよりも一つ多いため、冷陰極管支持部材４１の両端には開環状嵌合部４ｂが存在している。
【００２５】
この開環状嵌合部４ｂは、図２，図５に示すように、Ｕ字状冷陰極管３の直管部３ａの直径とほぼ同じ内径（本実施形態では直管部の直径が３ｍｍのＵ字状冷陰極管３を使用することを想定しているので内径はほぼ３ｍｍ）を有するものであって、その上部が略１／４円弧長にわたって切開されており、この切開された上部からＵ字状冷陰極管３の片方の直管部３ａを押し込んで開環状嵌合部４ｂを弾性的に拡開させながら嵌め込むと、片方の直管部３ａが上下左右に移動しないように嵌合されて所定の高さに支持されるようになっている。この開環状嵌合部４ｂの両側には補強リブ部４ｄ，４ｄが形成されており、Ｕ字状冷陰極管３の片方の直管部３ａを嵌合させるときに開環状嵌合部４ｂが折損しないように補強されている。
【００２６】
一方、横長鉤状係合部４ｃは、図２，図６に示すように、冷陰極管支持部材の帯状基部４ａから立ち上がる起立片４ｅの上端に、片側に突き出す水平係合片４ｆを一体形成したものであって、この水平係合片４ｆの下方の帯状基部４ａの上面には、Ｕ字状冷陰極管３の他方の直管部３ｂを片方の直管部３ｂと同じ高さに支持するためのリブ４ｇが形成されており、このリブ４ｇの上面から水平係合片４ｆの下面までの寸法が直管部３ｂの直径とほぼ同一になっている。そして、この横長鉤状係合部４ｃの水平係合片４ｆの長さ寸法Ｌは、直管部３ｂの直径にＵ字状冷陰極管３の曲げピッチＰの最大公差の絶対値の２倍の寸法を加えた合計寸法以上に設定されている。本実施形態では、直管部３ａ，３ｂの直径が３ｍｍ、曲げピッチＰの最大公差が±１ｍｍであるＵ字状冷陰極管３を使用することを想定しているので、水平係合片４ｆの長さ寸法Ｌは、直管部の直径３ｍｍに最大公差の絶対値の２倍の寸法２ｍｍを加えた合計寸法５ｍｍ以上に設定する必要があり、具体的には余裕をみて６ｍｍ程度に設定している。このような横長鉤状係合部４ｃの片側の開放部分からＵ字状冷陰極管３の他方の直管部３ｂを挿入すると、他方の直管部３ｂは、左右に可動であるが上下には移動しないように係合して支持されることになる。尚、水平係合片４ｆの先端部の下面には小さな爪４ｈが形成されており、この爪４ｈによってＵ字状冷陰極管３の直管部３ｂが横長鉤状係合部４ｃから外れるのを防止している。
【００２７】
図２に示すように、開環状嵌合部４ｂの中心線ＣＬ１と横長鉤状係合部４ｃの中心線ＣＬ２との間隔Ｉは、Ｕ字状冷陰極管３の双方の直管部３ａ，３ｂの中心線ＣＬ３，ＣＬ４の相互間隔と等しくなっており、それゆえ、片方の直管部３ａを開環状嵌合部４ｂに嵌合させ、他方の直管部３ｂを横長鉤状係合部４ｃに係合させて、Ｕ字状冷陰極管３を支持させると、Ｕ字状冷陰極管３の曲げピッチＰが規定通りの場合は、他方の直管部３ｂが横長鉤状係合部４ｃの中心に位置するようになっている。
【００２８】
冷陰極管支持部材４１の帯状基部４ａの一端下面には、図４に示すようにＬ形片４ｉが形成されており、帯状基部４ａの中央と他端の下面には中空の突起４ｊ，４ｊが形成されている。そして、このＬ形片４ｉを光反射シート２の開口部からリアフレーム１の底板１ａの取付穴に掛止すると共に、中空の突起４ｊ，４ｊを光反射シート２の開口部からリアフレーム１の底板１ａの取付穴に差し込むことによって、図３に示すように、冷陰極管支持部材４１が一方のランプフレーム８ｂに沿ってリアフレーム１の底板１ａの片側（左側）に取付けられている。
【００２９】
もう一つの冷陰極管支持部材４２も、上記の冷陰極管支持部材４１と同様に開環状嵌合部４ｂと横長鉤状係合部４ｃを交互に複数（合計五つ）形成したものであるが、図３に示すように、横長鉤状係合部４ｃの方が開環状嵌合部４ｂよりも一つ多いため、冷陰極管支持部材４１の両端には横長鉤状係合部４ｃが存在している。この冷陰極管支持部材４２の他の構成は、上記の冷陰極管支持部材４１と同様であるので、重複する説明は省略する。
【００３０】
図３に示すように、この冷陰極管支持部材４２は、一方のランプフレーム８ｂに沿って上記の冷陰極管支持部材４１と横一列に並べられ、冷陰極管支持部材４１の右端の開環状嵌合部４ｂと冷陰極管支持部材４２の左端の横長鉤状係合部４ｃとの中心線の相互間隔が、中央に配設されるＵ字状冷陰極管３の双方の直管部３ａ，３ｂの中心線の相互間隔と等しくなるように、支持部材４１，４２の間隔を調整してリアフレーム１の底板１ａに取付けられている。
【００３１】
尚、Ｕ字状冷陰極管３の直管部３ａ，３ｂのＵ字状屈曲端から遠い部分を支持する冷陰極管支持部材４３は、図１に示すように、帯状基部の上に複数（五つ）の開環状嵌合部４ｂと支持ピン４ｋ（光学シート６，７ａ，７ｂや液晶パネル１０が撓まないように支えるピン）を設けたもので、裏面の中空の突起４ｊを光反射シート２の開口部からリアフレーム１の底板の取付穴に差し込むことによって取付けられている。
【００３２】
Ｕ字状冷陰極管３の取付け（Ｕ字状屈曲端に近い部分の取付け）は、図２，図３に示すように、冷陰極管支持部材４１，４２の横長鉤状係合部４ｃの片側の開放部分から、Ｕ字状冷陰極管３の他方の直管部３ｂのＵ字状屈曲端に近い部分を挿入して上下に移動しないように係合させると共に、片方の直管部３ａのＵ字状屈曲端に近い部分を上方から開環状嵌合部４ｂへ上下左右に移動しないように嵌合させることによって行われている。このようにＵ字状冷陰極管３のＵ字状屈曲端に近い部分を取付けると、片方の直管部３ａは開環状嵌合部４ｂによって上下方向にも左右方向にも位置決めされるが、他方の直管部３ｂは横長鉤状係合部４ｃによって上下方向に位置決めされるのみで、左右方向には位置決めされない。従って、Ｕ字状冷陰極管３の他方の直管部３ｂは、冷陰極管支持部材４の横長鉤状係合部４ｃにおいて、曲げピッチＰのバラツキ分だけ左右いずれかの方向に位置をずらせて係合され、曲げピッチの公差が吸収されることになるので、Ｕ字状冷陰極管３の屈曲部分に歪みが生じなくなり、Ｕ字状冷陰極管３の割れをなくすことができる。しかも、Ｕ字状冷陰極管３は片方の直管部３ａを回転中心として回動できなくなり、従来のランプホルダー１０４がなくてもＵ字状冷陰極管３がを水平状態に固定されるので、従来のランプホルダー１０４を抹消することができる。従って、この液晶モジュールは、ランプホルダーを抹消できる分だけ部品点数及び組立工数が少なくなるので、製造コストを下げることができる。
【００３３】
また、Ｕ字状冷陰極管３のＵ字状屈曲端から遠い部分の取付けは、冷陰極管支持部材４３の開環状嵌合部４ｂにＵ字状冷陰極管３の双方の短管部３ａ，３ｂをそれぞれ嵌合させることによって行われている。従って、Ｕ字状冷陰極管３の曲げピッチＰの公差は、この冷陰極管支持部材４３では吸収されないが、このようにＵ字状冷陰極管３のＵ字状屈曲端から遠い部分が支持固定される場合は、曲げピッチの公差が吸収されなくても、Ｕ字状冷陰極管の屈曲部分に生じる歪みは小さいので、Ｕ字状冷陰極管３が割れる心配は皆無に等しい。
【００３４】
尚、この冷陰極管支持部材４３に代えて前記の冷陰極管支持部材４１，４２を使用し、Ｕ字状冷陰極管３のＵ字状屈曲端から遠い部分を支持固定しても勿論よい。
【００３５】
以上の説明から理解できるように、本発明の液晶モジュールは、ランプホルダーを抹消し、Ｕ字状冷陰極管を冷陰極管支持部材のみで曲げピッチの公差を吸収してリアフレームに取付けることができるので、部品点数及び組立工数が少なくなってコストダウンを達成することができる。
【図面の簡単な説明】
【００３６】
【図１】本発明の一実施形態に係る液晶モジュールの分解斜視図である。
【図２】同液晶モジュールの部分断面図である。
【図３】Ｕ字状冷陰極管を取付けたリアフレームの部分平面図である。
【図４】（ａ）及び（ｂ）は同液晶モジュールに用いる冷陰極管支持部材の正面図及び平面図である。
【図５】同支持部材の嵌合部の正面図である。
【図６】同支持部材の係合部の正面図である。
【図７】従来のＵ字状冷陰極管を取付けたリアフレームの部分平面図である。
【符号の説明】
【００３７】
１    リアフレーム
３    Ｕ字状冷陰極管
３ａ  片方の直管部
３ｂ  他方の直管部
３ｃ  Ｕ字状屈曲部
４１，４２，４３  冷陰極管支持部材
４ａ  帯状基部
４ｂ  開環状嵌合部
４ｃ  横長鉤状係合部
４ｅ  起立片
４ｆ  水平係合片
Ｉ    開環状嵌合部の中心線と横長鉤状係合部の中心線との間隔
Ｌ    水平係合片の長さ寸法
Ｐ    Ｕ字状冷陰極管の曲げピッチ
【図１】
2010153061.tif 000003
【図２】
2010153061.tif 000004
【図３】
2010153061.tif 000005
【図４】
2010153061.tif 000006
【図５】
2010153061.tif 000007
【図６】
2010153061.tif 000008
【図７】
2010153061.tif 000009